(57)【特許請求の範囲】
【請求項１】
正面から背面に亘り、所定開口形状の貫通孔が形成された主筐体と、
該主筐体の前記正面側に配置された第１拡散フィルムと、
該第１拡散フィルムの前記主筐体と反対側の面に前記第１拡散フィルムに対して所定距離離間して配置され、前記第１拡散フィルムよりも透光率が高く拡散性の低い第２拡散フィルムと、
前記主筐体の前記貫通孔内に挿入され、前記主筐体の背面側に設置された光源からの光を正面方向へ導光する導光体と、
を備えたイルミネーション機構。
【請求項２】
請求項１に記載のイルミネーション機構であって、
前記主筐体には、前記貫通孔が複数形成されている、イルミネーション機構。
【請求項３】
請求項２に記載のイルミネーション機構であって、
前記複数の貫通孔は、開口形状が複数種類で形成されている、イルミネーション機構。
【請求項４】
請求項２または請求項３に記載のイルミネーション機構であって、
前記複数の貫通孔には、前記導光体が挿入された貫通孔と、前記導光体が挿入されていない貫通孔とが存在する、イルミネーション機構。
【請求項５】
請求項２乃至請求項４のいずれかに記載のイルミネーション機構であって、
前記導光体は、複数設けられ、該複数の導光体は、複数種類の形状で形成されている、イルミネーション機構。
【請求項６】
請求項２乃至請求項５のいずれかに記載のイルミネーション機構であって、
前記主筐体の正面側壁面は、それぞれ異なる深さの凹部で形成された複数の領域を備える、イルミネーション機構。
【請求項７】
請求項１乃至請求項６のいずれかに記載のイルミネーション機構であって、
前記第１拡散フィルムと前記第２拡散フィルムとは、光に対する拡散性を有さない透光板の対向する各平板面にそれぞれ設置されている、イルミネーション機構。
【請求項８】
請求項１乃至請求項７のいずれかに記載のイルミネーション機構であって、
前記第２拡散フィルムの正面側には、半透過反射型の化粧板が設置されている、イルミネーション機構。
【発明の詳細な説明】
【技術分野】
【０００１】
本発明は、所定の発光パターンで点灯するイルミネーション機構に関する。
【背景技術】
【０００２】
従来、カラオケ装置等の遊技機や、設置型の音楽プレイヤーでは、ユーザを視覚的に楽しませるために、所定の発光パターンで発光するイルミネーション機構が備えられているものがある。例えば、特許文献１では、外部へ発光する開口部にプリズムを備え付け、当該プリズムに対して装置内からＲＧＢの光を照射することで、電子機器の表面側から見て多彩な色が見えるようにしている。
【先行技術文献】
【特許文献】
【０００３】
【特許文献１】２００９−７５６１２号公報
【発明の概要】
【発明が解決しようとする課題】
【０００４】
しかしながら、特許文献１に記載のイルミネーション機構では、色を変化させることができるものの、表面側から見た発光形状は、開口部の形状およびプリズムの形状により一定となってしまう。ここで、発光形状を変えようとすれば、開口形状を変化させたり、プリズム形状を変化させなければならず、部品の取り替えを伴うものとなる。
【０００５】
したがって、本発明の目的は、部品の取り替えを行う必要が無く、比較的簡素な構造で、多彩な発光形状を実現することができる、イルミネーション機構を提供することにある。
【課題を解決するための手段】
【０００６】
この発明は、イルミネーション機構に関する。このイルミネーション機構は、主筐体、第１拡散フィルム、第２拡散フィルム、導光体を備える。主筐体は、正面から背面に亘り、所定開口形状の貫通孔が形成されている。第１拡散フィルムは、主筐体の正面側に配置されている。第２拡散フィルムは、第１拡散フィルムの主筐体と反対側の面に配置されている。第２拡散フィルムと第１拡散フィルムとは所定距離離間して配置されている。第２拡散フィルムは、第１拡散フィルムよりも透光率が高く拡散性の低い材質で形成されている。導光体は、主筐体の貫通孔内に挿入され、主筐体の背面側に設置された光源からの光を正面方向へ導光する。
【０００７】
この構成では、光源からの光が弱ければ、貫通孔の開口形状と略同じ発光形状が正面に現れる。しかし、光源からの光が強ければ、貫通孔の形状に類似する強発光部と当該強発光部を囲み放射状に拡散して見える弱発光部からなる発光形状が正面に現れる。すなわち、光の強度のみによって、異なる発光形状を実現できる。
【０００８】
また、この発明のイルミネーション機構における主筐体には、貫通孔が複数形成されている。
【０００９】
この構成では、複数の貫通孔が形成されていることにより、貫通孔を通過する光毎に強度を変化させる等の制御を行えば、貫通孔の位置毎に異なる発光形状を実現できる。これにより、多彩な発光パターンを実現できる。
【００１０】
また、この発明のイルミネーション機構における複数の貫通孔は、開口形状が複数種類で形成されている。
【００１１】
この構成では、同じ強度の光が入射しても、種類の異なる貫通毎に発光形状が異なる。これにより、さらに多彩な発光パターンを実現できる。
【００１２】
また、この発明のイルミネーション機構における複数の貫通孔には、導光体が挿入された貫通孔と、導光体が挿入されていない貫通孔とが存在する。
【００１３】
この構成では、導光体の挿入されていない貫通孔と、導光体の挿入されている貫通孔とで、異なる発光形状を実現できる。これにより、さらに多彩な発光パターンを実現できる。
【００１４】
また、この発明のイルミネーション機構における複数の導光体は、複数種類の形状で形成されている。
【００１５】
この構成では、同じ強度の光が入射しても、種類の異なる導光体毎に発光形状が異なる。これにより、さらに多彩な発光パターンを実現できる。
【００１６】
また、この発明のイルミネーション機構における主筐体の正面側壁面は、それぞれ異なる深さの凹部で形成された複数の領域を備える。
【００１７】
この構成では、貫通孔の正面側端面と第１拡散板との距離を、複数種類で設定できる。これにより、さらに多彩な発光パターンを実現できる。
【００１８】
また、この発明のイルミネーション機構における第１拡散フィルムと第２拡散フィルムとは、光に対する拡散性を有さない透光板の対向する各平板面にそれぞれ設置されている。
【００１９】
この構成では、第１拡散フィルムと第２拡散フィルムとが非常に薄くても、透光板により、所定間隔を置いて平行に設置することが容易に実現できる。
【００２０】
また、この発明のイルミネーション機構における第２拡散フィルムの正面には、半透過反射型の化粧板が設置されている。
【００２１】
この構成では、化粧板が備えられることで、内部の貫通孔や導光板を、ユーザに視認し難くすることができる。これにより、より見栄えのよい正面壁を実現できる。また、当該化粧板に適宜拡散性を備えさせれば、より多彩な発光パターンを実現できる。
【発明の効果】
【００２２】
この発明によれば、部品の取り替えを行う必要が無く、比較的簡素な構造で、多彩な発光形状を実現することができる。
【図面の簡単な説明】
【００２３】
【図１】第１の実施形態のイルミネーション機構部品１０を正面側から見た分解斜視図である。
【図２】第１の実施形態のイルミネーション機構部品１０を正面側から見た外観斜視図、および、イルミネーション機構部品１０を背面側から見た外観斜視図である。
【図３】第１の実施形態のイルミネーション機構部品１０の正面図である。
【図４】第１の実施形態のイルミネーション機構部品１０の背面図である。
【図５】第１の実施形態のイルミネーション機構部品１０の底面図である。
【図６】第１の実施形態のイルミネーション機構部品１０の側面図である。
【図７】第１の実施形態のイルミネーション機構部品１０の平面断面図（図２のＡ−Ａ面断面図）である。
【図８】光源の光が強い場合の発光形状を模式的に示した図、および光源の光が弱い場合の発光形状を模式的に示した図である。
【発明を実施するための形態】
【００２４】
本発明の第１の実施形態に係る電子機器のイルミネーション機構について、図を参照して説明する。図１は本実施形態のイルミネーション機構部品１０を正面側から見た分解斜視図である。図２（Ａ）は本実施形態のイルミネーション機構部品１０を正面側から見た外観斜視図であり、図２（Ｂ）はイルミネーション機構部品１０を背面側から見た外観斜視図である。
【００２５】
図３は本実施形態のイルミネーション機構部品１０の正面図である。図４は本実施形態のイルミネーション機構部品１０の背面図である。図５は本実施形態のイルミネーション機構部品１０の底面図である。図６は本実施形態のイルミネーション機構部品１０の側面図である。図７は本実施形態のイルミネーション機構部品１０の平面断面図（図３のＡ−Ａ面断面図）である。
【００２６】
なお、これらの図では、円筒形の開口部を有するが、当該円筒形の開口部は、本実施形態のイルミネーション機構部品１０を装着するカラオケ装置の操作ダイヤルを装着する機構部であるので、省略することができる。したがって、当該円筒形の開口部を有する機構の説明は省略する。
【００２７】
イルミネーション機構部品１０は、正面側主筐体２０、背面側主筐体８０、拡散板３０、拡散板固定部材４０、化粧板５０，６０、導光体７０を備える。正面側主筐体２０と背面側主筐体８０との複合体により、本願発明の「主筐体」が構成される。
【００２８】
正面側主筐体２０の本体部２０１は、平面視して矩形状の正面壁を備える。この本体部２０１は、透光性を有さない材質、例えば黒色の絶縁性樹脂等で形成される。本体部２０１は、該正面壁の天面側および底面側（短手方向の両端部）に設置され正面壁の主面に直交する方向に延びる天面壁および底面壁を備える。また、本体部２０１は、正面壁の両側面（長手方向の両端部）に設置され正面壁の主面に直交する方向に延びる側面壁を備える。これら天面壁、底面壁、および側面壁は、正面壁から背面方向に延びる形状で形成されている。これにより、本体部２０１の背面側には、背面側凹部２０４が形成される。
【００２９】
本体部２０１の正面壁には、正面視して四角形からなり、当該正面壁を正面から背面にかけて貫通する貫通孔２０３が形成されている。貫通孔２０３は、複数個が配列して形成される。具体的に本実施形態では、正面壁の長手方向に沿って１２個配列し、正面壁の短手方向に沿って５個配列する、５×１２＝６０個の貫通孔２０３が形成されている。
【００３０】
また、本実施形態では、長手方向に列ぶ貫通孔２０３は同じ開口形状からなり、短手方向に列ぶ貫通孔２０３は開口面面積が異なるように、形成されている。これら配列形成された貫通孔２０３の形状は、全て同じであってもよく、本実施形態のように異なる複数の形状で形成してもよい。
【００３１】
本体部２０１の正面壁の正面側には、複数の貫通孔２０３が形成された領域を含むように、凹部２０２が形成されている。凹部２０２は、拡散板３０の外形形状に応じた形状で形成されている。また、凹部２０２は、正面視した部分領域毎に異なる深さで形成されている。具体的には、本実施形態では、中央の２０（＝５×４）個の貫通孔２０３に対応する領域を最も深く形成し、当該中央領域の両端にあるそれぞれ１０（＝５×２）個の貫通孔２０３に対応する領域を、中央領域よりも浅く形成する。さらに、長手方向の両端となるそれぞれ８（＝４×２）個の貫通孔２０３に対応する領域を、最も浅く形成する。例えば、この両端の深さを、拡散板３０の厚み程度に設定する。なお、凹部２０２は、本実施形態では複数の深さで形成しているが、第２実施形態に示すように、全面で同じ深さに形成してもよい。この場合は、全面を拡散板３０の厚み程度の深さに設定する。
【００３２】
正面側主筐体２０の背面側には、背面側主筐体８０が配設されている。背面側主筐体８０は、平板状の主体部８０１、凹部８０２、貫通孔８０３を備える。平板状の主体部８０１も、正面側主筐体２０の本体部２０１と同様に透光性を有さない材質で形成されている。
【００３３】
主体部８０１には、複数の貫通孔８０３が形成されている。これら複数の貫通孔８０３は、背面側主筐体８０を正面側主筐体２０に組み付けた際に、上述の正面側主筐体２０の本体部２０１に形成された貫通孔２０３と、各貫通孔８０３が正面視して略一致するか、貫通孔２０３の領域を含むように、形成されている。これら貫通孔８０３は全て同じ形状で形成されている。
【００３４】
主体部８０１の正面側には、凹部８０２が設けられている。凹部８０２は、導光体７０の主支持板７０１の厚みに略一致する深さで形成されている。
【００３５】
導光体７０は、略透明すなわち透光性が高く拡散性を有さない材質により形成されている。導光体７０は、平板状の主支持板７０１、正面側導光部７０２、背面側導光部７０３とから形成されている。
【００３６】
主支持板７０１は、上述の貫通孔２０３，８０３の内、長手方向に沿った半分の貫通孔２０３，８０３の形成領域に略一致する面積で形成されている。
【００３７】
主支持板７０１の正面側には、それぞれが略四角柱状からなる複数の正面側導光部７０２が形成されている。複数の正面側導光部７０２は、貫通孔２０３と同じ間隔で形成されている。複数の正面側導光部７０２は、貫通孔２０３内に挿嵌可能な大きさで形成されている。複数の正面側導光部７０２の高さ（正面方向に沿った長さ）は、貫通孔２０３の深さと同じになるように形成されている。複数の正面側導光部７０２は、主支持板７０１から離間するほど、断面積が小さくなるように、形成されている。さらに本実施形態では、異なる複数の先端形状からなる複数の正面側導光部７０２で構成されている。
【００３８】
主支持板７０１の背面側には、それぞれが略四角柱状からなる複数の背面側導光部７０３が形成されている。複数の背面側導光部７０３は、主支持板７０１を基準にして、複数の背面側導光部７０２と対向するように形成されている。複数の背面側導光部７０３は、全て同じ形状に形成されている。複数の背面側導光部７０３は、貫通孔８０３内に挿嵌可能な大きさで形成されている。複数の背面側導光部７０３の高さ（背面方向に沿った長さ）は、貫通孔８０３の深さと同じになるように形成されている。
【００３９】
このような形状からなる導光体７０を、各正面側導光部７０２が、対応する各貫通孔２０３内に挿嵌されるように、正面側主筐体２０（本体部２０１）の背面側に配置する。そして、当該導光体７０の正面側主筐体２０と反対側から、背面側主筐体８０を配置する。この際、背面側主筐体８０は、各貫通孔８０３に、対応する背面側導光部７０３が挿嵌し、主支持板７０１が凹部８０２内に収納されるように配置される。このような複合体が構成された後に、正面側主筐体２０と背面側主筐体８０とをネジ等により固定する。これにより、複数の貫通孔と導光体による導光機能付きの筐体が形成される。
【００４０】
正面側主筐体２０の本体部２０１の正面側には、凹部２０２内の収納されるように、平板状の拡散板３０が配設されている。
【００４１】
拡散板３０は、透光率が高く拡散性の無い透光板３００を備える。透光板３００の正面側主筐体２０側の平板面には、第１拡散フィルム３０１が配設されている。透光板３００の第１拡散フィルム３０１の配設面と対向する面には、第２拡散フィルム３０２が配設されている。第１拡散フィルム３０１、第２拡散フィルム３０２は、透光板３００のそれぞれの平板面に対して、接着される構造であっても、印刷される構造であってもよい。このような構造とすることで、第１拡散フィルム３０１、第２拡散フィルム３０２が極薄い構造であっても、これらフィルム間の距離を保持した状態で、配設することができる。また、他の部品、例えば正面側主筐体２０との距離も、面上で均一にすることができる。
【００４２】
第１拡散フィルム３０１は、透光率が低く拡散性が高い材質からなる。ここで、拡散性とは、一方主面から入射した光が、屈折することなく直進して、他方主面から出射せず、拡散板内で反射屈折を繰り返し、入射面よりも出射面の面積が広くなる性質を示す。そして拡散性が低いとは、入射面に対して出射面の面積が同じもしくは、あまり広がらない性質を示し、拡散性が高いとは、入射面に対して出射面の面積が、より広く広がる性質を示す。
【００４３】
第２拡散フィルム３０２は、第１拡散フィルム３０１と比較して、透光率が高く拡散性が低い材質からなる。
【００４４】
拡散板３０の正面側、すなわち拡散板３０の正面側主筐体２０と反対側には、前面側固定部材４０が配設されている。前面側固定部材４０は、正面視した外形形状が正面側主筐体２０と略同じか所定量広い形状からなる矩形状の主体部４０１を備える。
【００４５】
前面側固定部材４０の主体部４０１には、上述の貫通孔２０３の形成領域を含み拡散板３０の外形形状よりも小さい形状の貫通穴４０２が形成されている。主体部４０１の正面側、すなわち正面側主筐体２０に対して反対側には、正面側から見て貫通穴４０２を含み、透光性化粧板５０の外形形状に略一致する前面側固定用凹部４０３が形成されている。また、主体部４０１の正面側、すなわち正面側主筐体２０に対して反対側には、正面側から見て貫通穴４０２を含み、化粧板６０の外形形状に略一致する化粧板固定用凹部４０４が形成されている。
【００４６】
前面側固定部材４０の正面側すなわち正面側主筐体２０に対して反対側には、透光性化粧板５０が配設されている。この際、透光性化粧板５０は、前面側固定部材４０の前面側固定用凹部４０３内の収納されるように配設されている。
【００４７】
透光性化粧板５０の正面側、すなわち前面側固定用凹部４０３に対して反対側には、化粧板６０が配設されている。この際、化粧板６０は、前面側固定部材４０の化粧板固定用凹部４０４内の収納されるように配設されている。
【００４８】
化粧板６０は、半透過性および反射性を有する、所謂半透過ミラーの構造からなる。これにより、背面側からの光を正面側へ透過し、正面側から見ても背面側が見えない構造となっている。
【００４９】
このような構造からなるイルミネーション機構部品１０では、イルミネーション機構部品１０の正面側から見ると、各貫通孔２０３，２０８に対応する部分で、図８に示す発光形状となる。図８（Ａ）は光源の光が強い場合の発光形状を模式的に示した図であり、図８（Ｂ）は光源の光が弱い場合の発光形状を模式的に示した図である。
【００５０】
光源の光が強い場合には、図８（Ａ）に示すように、貫通孔２０３および正面側導光部７０２の正面形状とほぼ同じ略四角形の高発光領域ＬｍＨを中央に、略円形で放射状に広がり、且つ中央から離間するほど輝度が低下する低発光領域ＬｍＬを有する発光形状になる。
【００５１】
一方、光源の光が弱い場合には、図８（Ｂ）に示すように、貫通孔２０３および正面側導光部７０２の正面形状とほぼ同じ略四角形の発光領域ＬｍＭを有する発光形状になる。
【００５２】
このような現象は、導光体７０および貫通孔２０３，２０８を介して導光し、透光性が低く拡散性が高い第１拡散フィルム３０１、透光性が高く拡散性が低い第２拡散フィルム３０２の順で、正面側へ導光したことによるものである。
【００５３】
具体的には、貫通孔２０３，２０８および導光体７０を介して出射する光は、導光体７０の正面側導光部７０２によって導かれ、当該正面側導光部７０２および貫通孔２０３と略同じ正面形状の発光形状のまま、第１拡散フィルム３０１へ入射される。
【００５４】
光源の発光強度が強い場合、第１拡散シート３０１では正面側導光部７０２の正面形状より広がるように回折しながら拡散した状態で光が出射され、第２拡散シート３０２へ入射される。この際、正面側導光部７０２を正面視して重なる領域は光の強度が強く、周辺の広がった領域は光の強度が弱くなる。しかしながら、全体的な光の強度が強いことで、第１拡散シート３０１から入射した光は、透光性が高く拡散性の低い第２拡散シート３０２で殆ど減衰されることなく、入射した光の形状と略同じ形状で正面側に出射する。これにより、図８（Ａ）に示すような発光パターンとなる。
【００５５】
光源の発光強度が弱い場合、第１拡散フィルム３０１によって拡散された領域の光は強度がより一層低くなる。したがって、当該光が第２拡散フィルム３０２へ入射されても、第２拡散フィルム３０２内を透過することができず、正面側へ出射されない。これにより、出射される光は、導光体７０の正面側導光部７０２および貫通孔２０３と略同じ正面形状となる。
【００５６】
このように、本実施形態の構成を用いることで、光源の光量を調整するだけで多彩な発光形状を実現することができる。
【００５７】
この際、光源としては貫通孔２０３，２０８の位置毎に配設されたＬＥＤ等の点光源であるとよい。これにより、点光源毎に光量を異ならせる制御を行えば、より多彩な発光形状を実現できる。
【００５８】
また、上述のように、貫通孔２０３、正面側導光部７０２の形状を、複数種類にしたり、貫通孔２０３の正面側端部と第１拡散板３０との距離を複数種類にしたり、導光体７０を一部貫通孔２０３，２０８にのみ配置することで、それぞれに異なる発光形状となるので、さらに多彩な発光形状を実現できる。
【００５９】
なお、上述の説明では、導光体７０を貫通孔２０３，８０３の形成領域の半面にのみ形成する例を示したが、全面に亘るように形成してもよい。また、全ての正面側導光部７０２を、同じ形状で形成してもよい。
【００６０】
また、上述の説明では、半透過反射型の化粧板６０を用いた例を示したが、この化粧板６０にさらに拡散性を備えさせてもよい。
【００６１】
また、上述の説明では、貫通孔２０３，２０８数が６０個の場合を示したが、他の個数であってもよい。また、貫通孔２０３，２０８を正面視した形状が略四角形の場合を示したが、三角形等の他の多角形であってもよい。
【００６２】
また、上述の実施形態ではカラオケ装置に装着されるイルミネーション機構部品を例に説明したが、他の設置型の遊技機や電子機器におけるユーザに見える面に設置してもよい。
【００６３】
また、本実施形態のイルミネーション機構部品は、フロントパネルに後付けする構造であるが、フロントパネル自体に当該イルミネーション機構の構造を備えてもよい。
【符号の説明】
【００６４】
１０：イルミネーション機構部品、２０：正面側主筐体、２０１：本体部、２０２：凹部、２０３：貫通孔、２０４：背面側凹部、３０：拡散板、３００：透光板、３０１：第１拡散フィルム、３０２：第２拡散フィルム、４０：前面側固定部材、４０１：主体部、４０２：貫通穴、４０３：前面側固定用凹部、４０４：化粧板固定用凹部、５０：透光性化粧板、６０：化粧板、７０：導光体、７０１：主支持板、７０２：正面側導光部、７０３：背面側導光部、８０：背面側主筐体、８０１：主体部、８０２：凹部、８０３：貫通孔
【図１】
0005668497.tif 000002
【図２】
0005668497.tif 000003
【図３】
0005668497.tif 000004
【図４】
0005668497.tif 000005
【図５】
0005668497.tif 000006
【図６】
0005668497.tif 000007
【図７】
0005668497.tif 000008
【図８】
0005668497.tif 000009